(57)【要約】      （修正有）【課題】ブラシモータと同一形状のブラシレスモータを使用出来る様にした走行玩具用モータを提供する。【解決手段】円柱状のブラシレスモータ３と、該ブラシレスモータが挿入固定されるキャップ４とから構成し、該キャップは前記ブラシレスモータの筐体３３が嵌入される円弧形状の一対の鍔部４１と、該一対の鍔部の一端を連結する連結部４２とから形成し、前記一対の鍔部の長手方向の両側面は平坦面４１ａに形成される。、また、前記連結部の中央にはブラシレスモータにおける回転軸３２の一端を軸支する軸受け部４２ａが形成され、前記ブラシレスモータを前記キャップに嵌合した状態においてブラシレスモータのリード線３１を前記一対の鍔部の隙間から導出し走行玩具用モータを形成する。【選択図】図１
0003178771.tif 000002
【実用新案登録請求の範囲】
【請求項１】
円柱状のブラシレスモータと、該ブラシレスモータが挿入固定されるキャップとから構成し、該キャップは前記ブラシレスモータの筐体が嵌入される円弧形状の一対の鍔部と、該一対の鍔部の一端を連結する連結部とから形成し、前記一対の鍔部の長手方向の両側面は平坦面に形成され、また、前記連結部の中央にはブラシレスモータにおける回転軸の一端を軸支する軸受け部が形成され、前記ブラシレスモータを前記キャップに嵌合した状態においてブラシレスモータのリード線を前記一対の鍔部の隙間から導出したことを特徴とする走行玩具用モータ。
【考案の詳細な説明】
【技術分野】
【０００１】
本考案は、リモコンカー等の走行玩具の駆動源として使用するモータの改良に関する。
【背景技術】
【０００２】
従来の走行玩具に使用するモータとしてはブラシモータが採用されている。その理由として、モータのコストが安いこと、該モータを駆動する回路が簡単であるので走行玩具を廉価に制作できること、また、図３に示すようにブラシモータ１は回転子が電磁コイルで、固定子が２つのマグネットであり、筐体１１の形状は左右の円弧部に各々１つ固定子を配置し、該固定子の間の空間部に回転子を配置した構造である。すなわち、筐体の形状は、固定子が取付けられる部分が円弧状で、回転子が配置される左右の固定子との間は平坦面に形成されている。
【０００３】
図４に示す、例えば、リモコンカーのシャーシ２に取付けられている駆動輪２１を駆動するためのブラシモータ１を収納する収納部２２は四角形状の箱状となっているので、前記ブラシモータ１を収納部２２に収納した状態で蓋体２３を収納部２２に嵌め込むことで、ブラシモータ１の筐体１１が回転したり移動したりするのを防止でき、従って、安定状態で駆動輪２１の回転制御が行えることとなる。
【０００４】
なお、図４において、２４は電池収納部、２５はブラシモータ１を駆動するための回路収納部、２６は操舵前輪、２７はアンテナである。
【考案の概要】
【考案が解決しようとする課題】
【０００５】
ところで、前記したブラシモータを駆動源として使用した場合に、ブラシを使用していることから、ブラシの磨耗により長期間の使用に適さず、また、高速回転や回転速度の制御が難しく、高負荷時の耐久性が低いことから、走行玩具の高速化が行えないと共に速度制御をきめ細かく行えないといった問題があった。
【０００６】
本考案は前記した問題点を解決せんとするもので、その目的とするところは、信頼性が高く寿命が長く、かつ、高速回転が行えると共に速度制御がきめ細かく行える円柱状のブラシレスモータを、ブラシモータと同様な形状とするキャップを装着することで、従来のブラシモータを使用していた走行玩具のモータとして利用できるようにした走行玩具用モータを提供せんとするにある。
【課題を解決するための手段】
【０００７】
本考案の走行玩具用モータは前記した目的を達成せんとするもので、請求項１の手段は、円柱状のブラシレスモータと、該ブラシレスモータが挿入固定されるキャップとから構成し、該キャップは前記ブラシレスモータの筐体が嵌入される円弧形状の一対の鍔部と、該一対の鍔部の一端を連結する連結部とから形成し、前記一対の鍔部の長手方向の両側面は平坦面に形成され、また、前記連結部の中央にはブラシレスモータにおける回転軸の一端を軸支する軸受け部が形成され、前記ブラシレスモータを前記キャップに嵌合した状態においてブラシレスモータのリード線を前記一対の鍔部の隙間から導出したことを特徴とする。
【考案の効果】
【０００８】
本考案は前記したように、円柱状のブラシレスモータをキャップに嵌合することで、キャップ形状が従来のブラシモータと同じ形状および大きさになるので、従来の走行玩具のモータの収納部に固定でき、また、ブラシレスモータはキャップに嵌合固定されると共にブラシレスモータのリード線が一対の鍔部の隙間から導出されることでキャップに対してブラシレスモータが回転することがないといった効果を有するものである。
【図面の簡単な説明】
【０００９】
【図１】本考案に係るブラシレスモータをキャップから分離した状態の斜視図である。
【図２】ブラシレスモータとキャップとを一体化した状態で走行玩具のモータ収納部に取付ける状態を示した斜視図である。
【図３】従来のブラシモータを走行玩具のモータ収納部に取付ける状態を示した斜視図である。
【図４】従来の走行玩具のシャーシを示す斜視図である。
【考案を実施するための形態】
【００１０】
以下、本考案に係るブラシレスモータの実施例を図１、図２と共に説明する。なお、従来例である図３、図４と同じ符号は同じ部材を示し説明は省略する。
３は回転子をマグネット、固定子を電磁コイルとした円柱状のブラシレスモータにして、前記固定子への通電を行う３本のリード線３１が駆動輪のギアと噛合されるギア（図示せず）が固定される回転軸３２とは反対側の回転軸を軸支する側のブラシレスモータ３の筐体３３から導出されている。
【００１１】
４は合成樹脂やアルミで形成されたキャップにして、一対の円弧状の鍔部４１と、該鍔部４１の一端を連結する連結部４２とより形成され、前記鍔部４１の内周面の湾曲面は前記ブラシレスモータ３の筐体３３の外周面と同じ湾曲に形成されると共に、筐体３３を鍔部４１内に挿入することで固定状態となる。
【００１２】
前記一対の鍔部４１の長手方向の両端面は平坦面４１ａに形成されており、ブラシレスモータ３をキャップ４の鍔部４１内に嵌合固定した状態において、ブラシレスモータ３における筐体３３の外周と前記平坦面４１ａとが面一状態となる。また、前記連結部４２には前記ブラシレスモータ３の前記リード線３１が導出されている側の回転軸３２の軸受け（図示せず）が嵌合される軸受け部４２ａが形成されている。
【００１３】
前記したように、ブラシレスモータ１をキャップ４に嵌合固定した状態においては、従来のブラシモータの大きさと同じ大きさとなることから、従来の走行玩具におけるシャーシ２のブラシモータ１を収納固定した収納部２２に挿入可能となることで、ブラシレスモータ３を採用する場合にシャーシ２を変更することなく、単にブラシレスモータ３を制御するための回路を変更することで済む。
【００１４】
従って、ブラシレスモータ３を採用することによって従来の走行玩具の信頼性を高くすることができると共に寿命が長くでき、かつ、高速走行が行えると共に速度制御がきめ細かく行えるので、例えば、リモコンカーとして遊戯する場合の走行操縦を、より深く楽しむことができる。
【００１５】
前記した実施例ではリモコンカーを具体例として説明したが、モータを利用した遊戯機である、戦車等の陸上走行玩具やボート等の水面走行玩具にも応用することが可能である。
【符号の説明】
【００１６】
３          ブラシレスモータ
３１        リード線
３２        回転軸
３３        筐体
４          キャップ
４１        鍔部
４２ａ      平坦面
４２        連結部
４２ａ      嵌合孔
【図１】
0003178771.tif 000003
【図２】
0003178771.tif 000004
【図３】
0003178771.tif 000005
【図４】
0003178771.tif 000006